(57)【要約】【課題】すりへっても長期間目視が出来て危険な場所を安全に通行出来又災害等で暗闇になっても安全な場所への誘導が出来る表示案内板の提供。【解決手段】本体は耐久性のあるセラミックスを使用し、通常よりも長く表示部内容を確認出来る厚みのある材料と一部に蓄光を組み合わてある為に危険を回避出来、災害等に突然の暗闇が襲ってもこれを目視出来る為に誘導として機能し安全に通行出来る。【選択図】図１
0003120274.tif 000002
【実用新案登録請求の範囲】
【請求項１】
人が歩く歩道や地下道に敷設される歩道板において、セラミック材又はセラミック粒子を主材料にした保水性・透水性機能の材料を使用した表示案内本体には、立体空間に立体の材料をはめ込むかセラミック粒子を主材料にした保水性・透水性機能の材料を詰め込んだ表示部が形成されている表示案内板。この表示部をあらわす為に本体に立体空間を設けて、ここにはめ込む立体の材料の材質は１種類以上使用しており、表示案内本体と表示部の材料の材質には１箇所以上の立体又はセラミック粒子を主材料にした保水性・透水性機能の材料で蓄光を含有した材料を使用して他の材料と組み合わせている事を特徴とする表示案内板。
【請求項２】
人が歩く歩道や地下道に敷設される歩道板において、セラミック材又はセラミック粒子を主材料にした保水性・透水性機能の材料を使用した表示案内本体には、立体空間に立体の材料をはめ込むかセラミック粒子を主材料にした保水性・透水性機能の材料を詰め込んだ表示部が形成されている表示案内板。この表示部をあらわす為に本体に立体空間を設けて、ここにはめ込む立体の材料の材質は数種類以上使用しており、表示案内本体と表示部の材料の材質には１箇所以上の立体又はセラミック粒子を主材料にした保水性・透水性機能の材料で蓄光を含有した材料を使用して他の材料と組み合わせている事を特徴とする表示案内板。
【請求項３】
人が歩く歩道や地下道に敷設される歩道板において、セラミック材又はセラミック粒子を主材料にした保水性・透水性機能の材料を使用した表示案内本体には、立体空間に立体の材料をはめ込むかセラミック粒子を主材料にした保水性・透水性機能の材料を詰め込んだ表示部が形成されている表示案内板。この表示部をあらわす為に本体に立体空間を設けて、ここにはめ込む立体の材料の材質は１種類以上使用しており、表示案内本体と表示部の材料の材質には１箇所以上の立体又はセラミック粒子を主材料にした保水性・透水性機能の材料で蓄光セラミックスを含有した材料を使用して他の材料と組み合わせている事を特徴とする表示案内。
【請求項４】
人が歩く歩道や地下道に敷設される歩道板において、セラミック材又はセラミック粒子を主材料にした保水性・透水性機能の材料を使用した表示案内本体には、立体空間に立体の材料をはめ込むかセラミック粒子を主材料にした保水性・透水性機能の材料を詰め込んだ表示部が形成されている表示案内板。この表示部をあらわす為に本体に立体空間を設けて、ここにはめ込む立体の材料の材質は数種類以上使用しており、表示案内本体と表示部の材料の材質には１箇所以上の立体又はセラミック粒子を主材料にした保水性・透水性機能の材料で蓄光セラミックスを含有した材料を使用して他の材料と組み合わせている事を特徴とする表示案内。
【請求項５】
人が歩く歩道や地下道に敷設される歩道板において、セラミック材又はセラミック粒子を主材料にした保水性・透水性機能の材料を使用した表示案内本体には、立体空間に立体の材料をはめ込むかセラミック粒子を主材料にした保水性・透水性機能の材料を詰め込んだ表示部が形成されている表示案内板。この表示部をあらわす為に本体に立体空間を設けて、ここにはめ込む立体の材料の材質の厚みは３mm以上で１種類以上の材質を使用しており、表示案内本体と表示部の材料の材質には１箇所以上の立体又はセラミック粒子を主材料にした保水性・透水性機能の材料で蓄光を含有した材料を使用して他の材料と組み合わせている事を特徴とする表示案内板。
【請求項６】
人が歩く歩道や地下道に敷設される歩道板において、セラミック材又はセラミック粒子を主材料にした保水性・透水性機能の材料を使用した表示案内本体には、立体空間に立体の材料をはめ込むかセラミック粒子を主材料にした保水性・透水性機能の材料を詰め込んだ表示部が形成されている表示案内板。この表示部をあらわす為に本体に立体空間を設けて、ここにはめ込む立体の材料の材質の厚みは３mm以上で数種類以上の材質を使用しており、表示案内本体と表示部の材料の材質には１箇所以上の立体又はセラミック粒子を主材料にした保水性・透水性機能の材料で蓄光を含有した材料を使用して他の材料と組み合わせている事を特徴とする表示案内板。
【請求項７】
人が歩く歩道や地下道に敷設される歩道板において、セラミック材又はセラミック粒子を主材料にした保水性・透水性機能の材料を使用した表示案内本体には、立体空間に立体の材料をはめ込むかセラミック粒子を主材料にした保水性・透水性機能の材料を詰め込んだ表示部が形成されている表示案内板。この表示部をあらわす為に本体に立体空間を設けて、ここにはめ込む立体の材料の材質の厚みは３mm以上で１種類以上の材質を使用しており、表示案内本体と表示部の材料の材質には１箇所以上の立体又はセラミック粒子を主材料にした保水性・透水性機能の材料で蓄光セラミックスを含有した材料を使用して他の材料と組み合わせている事を特徴とする表示案内板。
【請求項８】
人が歩く歩道や地下道に敷設される歩道板において、セラミック材又はセラミック粒子を主材料にした保水性・透水性機能の材料を使用した表示案内本体には、立体空間に立体の材料をはめ込むかセラミック粒子を主材料にした保水性・透水性機能の材料を詰め込んだ表示部が形成されている表示案内板。この表示部をあらわす為に本体に立体空間を設けて、ここにはめ込む立体の材料の材質の厚みは３mm以上で数種類以上の材質を使用しており、表示案内本体と表示部の材料の材質には１箇所以上の立体又はセラミック粒子を主材料にした保水性・透水性機能の材料で蓄光セラミックスを含有した材料を使用して他の材料と組み合わせている事を特徴とする表示案内板。
【考案の詳細な説明】
【技術分野】
【０００１】
本考案は表示案内本体と表示部で形成されており、表示案内本体の材質にセラミック材を使用するのは耐久性がありセラミック材又はセラミック粒子を主材料にした保水性・透水性機能の材料を設置する場所に応じて選択でき、また表示部においても色々な材質を立体材料にしてはめ込む場合やセラミック粒子を主材料にした保水性・透水性機能の材料を詰め込んで厚みをつくり、この上をたくさんの人が歩いて摩耗してもはめ込み部分又は詰め込み部分が厚みがあり、すりへっても表示部は通常よりも長く確認することが出来る機能と表現方法が多彩に出来る総合表示案内に関するものである。
【背景技術】
【０００２】
歩道や階段、駅のプラットホーム、地下道等には、多種多様に表示された床の案内が敷設又は塗料等にて直接描かれている。その中には注意をうながす内容や誘導や危険な箇所が目視出来る様にしてある。
しかし、現状はたくさんの人が表示の上を歩く為に表面がすり減り、表示内容が目視出来ない場所がたくさんある。
【０００３】
歩道や階段、駅のプラットホーム、地下道等での、位置や通路の確認がしにくかったり、急な段差や高低差が認知出来なかったり、気が付きにくい境目などがあったりと目視出来ないと危険な場所がたくさんある。
【０００４】
この改善策としてセメントに一般骨材を含有したコンクリート路面部材主体の表面に発光体を誘導表示となるように配置したものがある。利点としては視線誘導できるよう表面に発光体の表示を形成して夜間あるいは停電時の安全行及び避難誘導できる。しかしこの発光表示用路面部材はこの表面に発光体が粒状体で形成されている為に、この上を人が歩くと摩耗して発光体の役割が持続しにくい。
【特許文献１】特開平１０−１０２４４３号
【０００５】
このように従来の歩道や駅のプラットホーム、地下道、道路と歩道の間のブロック等には上記のごとき問題がある。その為に有る程度まで擦り減っても消えない総合表示案内が役に立つ。
【０００６】
したがって、日中も夜も目視でき、表示の内容を確認することが容易に出来、危険な場所の位置確認も出来やすい為に安全な方向への誘導が出来る。
【０００７】
案内表示の内容は材質の組み合わせで多種多様にでき、長くその内容を把握する事が出来る。
【考案の開示】
【考案が解決しようとする課題】
【０００８】
解決しようとする問題点は、危険な場所や境目、高低差の確認等の表示が消えて目視確認しにくく次の動作を考えながら行動出来ない為に危険性から回避出来にくい点である。
【課題を解決するための手段】
【０００９】
本考案の総合表示案内は蓄光を含有した立体材料をはめ込みした場合や、セラミック粒子を主材料にした保水性・透水性機能の蓄光を含有した材料を使用する場合など、最低どちらかひとつの蓄光を含有した材料を使用している為に、災害が発生して暗闇になって目視確認しやすい為に安全な通行が確保出来る事と日中でもわかり易い表示案内を確認し続ける事が出来る。
【考案の効果】
【００１０】
この総合表示案内は表示案内本体と表示部から出来ており、表示部を色々な材質を立体材料にしてはめ込む場合やセラミック粒子を主材料にした保水性・透水性機能の材料を詰め込んで厚みをつくる場合を場所に応じて表示して使用すれば、摩耗してもすぐには消えない。さらに表示案内本体または表示部の１箇所以上の材質に蓄光を含有した材料を使用して組み合わせているので、災害時の誘導を機能させることが出来るだけでなく暗闇の中で安全な歩行が確保出来る。
この総合案内表示は蓄光を含有した材料を立体材料にしてはめ込む場合や蓄光を含有した材料をセラミック粒子を主材料にした保水性・透水性機能の材料を詰め込んで厚みをつくり、この上をたくさんの人が歩いて摩耗してもはめ込み部分又は詰め込み部分が厚みがあり、すりへっても表示部は通常よりも長く確認する確認出来る利点がある。
【００１１】
案内表示本体と表示部の形成の内容は素材の組み合わせで幾通りも出来る。
【考案を実施するための最良の形態】
【００１２】
案内表示本体に材料を立体にしてはめ込む場合と保水性・透水性機能の材料を詰め込み厚みをもたせる場合とを選んだり組み合わせたりして形成された表示部があり、１種類以上の蓄光を含有した材料と他の材質との組み合わせで出来ている総合案内表示。
【実施例１】
【００１３】
図１は、本考案に係る総合案内表示の実施例の断面図である。
【００１４】
（ａ）は総合表示案内を示す正面図であり、表示部（ｃ）が形成されている。
この中に（ｄ）立体材料の蓄光セラミックをはめ込んでおり別の（ｅ）セラミック材を立体にしてはめ込み（ｆ）にはセラミック粒子を主材料にした保水性・透水性機能の材料を詰め込んで多種多様場所や表示内容を表わすことの出来る表示部分が形成されている。
（ｇ）は総合表示案内を示す断面図であり、（ｈ）立体空間の凹部に（ｄ）又は（ｅ）をはめ込んだり（ｆ）を詰めて表示部を構成している。または（h）の立体空間も同じく（ｄ）又は（ｅ）をはめ込んだり（ｆ）を詰めて表示部を構成することが出来る。
【図面の簡単な説明】
【００１５】
【図１】総合表示案内の実施方法を示した説明図である。（実施例１）
【符号の説明】
【００１６】
ａ  総合表示案内を示す正面図
ｂ  表示案内本体
ｃ  表示部
ｄ  立体材料の蓄光セラミック
ｅ  立体材料のセラミック
ｆ  セラミック粒子を主材料にした保水性・透水性機能の材料を詰め込み文字を表わしている
ｇ  総合表示案内を示す断面図
ｈ  立体空間
【図１】
0003120274.tif 000003
【手続補正書】
【提出日】平成18年1月10日(2006.1.10)
【手続補正１】
【補正対象書類名】実用新案登録請求の範囲
【補正対象項目名】請求項５
【補正方法】変更
【補正の内容】
【請求項５】
人が歩く歩道や地下道に敷設される歩道板において、セラミック材又はセラミック粒子を主材料にした保水性・透水性機能の材料を使用した表示案内本体には、立体空間に立体の材料をはめ込むかセラミック粒子を主材料にした保水性・透水性機能の材料を詰め込んだ表示部が形成されている表示案内板。この表示部をあらわす為に本体に立体空間を設けて、ここにはめ込む立体の材料の材質の厚みは２mm以上で１種類以上の材質を使用しており、表示案内本体と表示部の材料の材質には１箇所以上の立体又はセラミック粒子を主材料にした保水性・透水性機能の材料で蓄光を含有した材料を使用して他の材料と組み合わせている事を特徴とする表示案内板。
【手続補正２】
【補正対象書類名】実用新案登録請求の範囲
【補正対象項目名】請求項６
【補正方法】変更
【補正の内容】
【請求項６】
人が歩く歩道や地下道に敷設される歩道板において、セラミック材又はセラミック粒子を主材料にした保水性・透水性機能の材料を使用した表示案内本体には、立体空間に立体の材料をはめ込むかセラミック粒子を主材料にした保水性・透水性機能の材料を詰め込んだ表示部が形成されている表示案内板。この表示部をあらわす為に本体に立体空間を設けて、ここにはめ込む立体の材料の材質の厚みは２mm以上で数種類以上の材質を使用しており、表示案内本体と表示部の材料の材質には１箇所以上の立体又はセラミック粒子を主材料にした保水性・透水性機能の材料で蓄光を含有した材料を使用して他の材料と組み合わせている事を特徴とする表示案内板。
【手続補正３】
【補正対象書類名】実用新案登録請求の範囲
【補正対象項目名】請求項７
【補正方法】変更
【補正の内容】
【請求項７】
人が歩く歩道や地下道に敷設される歩道板において、セラミック材又はセラミック粒子を主材料にした保水性・透水性機能の材料を使用した表示案内本体には、立体空間に立体の材料をはめ込むかセラミック粒子を主材料にした保水性・透水性機能の材料を詰め込んだ表示部が形成されている表示案内板。この表示部をあらわす為に本体に立体空間を設けて、ここにはめ込む立体の材料の材質の厚みは２mm以上で１種類以上の材質を使用しており、表示案内本体と表示部の材料の材質には１箇所以上の立体又はセラミック粒子を主材料にした保水性・透水性機能の材料で蓄光セラミックスを含有した材料を使用して他の材料と組み合わせている事を特徴とする表示案内板。
【手続補正４】
【補正対象書類名】実用新案登録請求の範囲
【補正対象項目名】請求項８
【補正方法】変更
【補正の内容】
【請求項８】
人が歩く歩道や地下道に敷設される歩道板において、セラミック材又はセラミック粒子を主材料にした保水性・透水性機能の材料を使用した表示案内本体には、立体空間に立体の材料をはめ込むかセラミック粒子を主材料にした保水性・透水性機能の材料を詰め込んだ表示部が形成されている表示案内板。この表示部をあらわす為に本体に立体空間を設けて、ここにはめ込む立体の材料の材質の厚みは２mm以上で数種類以上の材質を使用しており、表示案内本体と表示部の材料の材質には１箇所以上の立体又はセラミック粒子を主材料にした保水性・透水性機能の材料で蓄光セラミックスを含有した材料を使用して他の材料と組み合わせている事を特徴とする表示案内板。
【手続補正書】
【提出日】平成18年1月20日(2006.1.20)
【手続補正１】
【補正対象書類名】実用新案登録請求の範囲
【補正対象項目名】全文
【補正方法】変更
【補正の内容】
【実用新案登録請求の範囲】
【請求項１】
人が歩く歩道や地下道に敷設される歩道板において、セラミック材又はセラミック粒子を主材料にした保水性・透水性機能の材料を使用した表示案内本体には、立体空間に立体の材料をはめ込むかセラミック粒子を主材料にした保水性・透水性機能の材料を詰め込んだ表示部が形成されている表示案内板で、この表示部をあらわす為に本体に立体空間を設けて、ここにはめ込む立体の材料の材質は１種類以上使用しており、表示案内本体と表示部の材料の材質には１箇所以上の立体又はセラミック粒子を主材料にした保水性・透水性機能の材料で蓄光を含有した材料を使用して他の材料と組み合わせている、以上の構成からなる表示案内板。
【請求項２】
人が歩く歩道や地下道に敷設される歩道板において、セラミック材又はセラミック粒子を主材料にした保水性・透水性機能の材料を使用した表示案内本体には、立体空間に立体の材料をはめ込むかセラミック粒子を主材料にした保水性・透水性機能の材料を詰め込んだ表示部が形成されている表示案内板で、この表示部をあらわす為に本体に立体空間を設けて、ここにはめ込む立体の材料の材質は数種類以上使用しており、表示案内本体と表示部の材料の材質には１箇所以上の立体又はセラミック粒子を主材料にした保水性・透水性機能の材料で蓄光を含有した材料を使用して他の材料と組み合わせている、以上の構成からなる表示案内板。
【請求項３】
人が歩く歩道や地下道に敷設される歩道板において、セラミック材又はセラミック粒子を主材料にした保水性・透水性機能の材料を使用した表示案内本体には、立体空間に立体の材料をはめ込むかセラミック粒子を主材料にした保水性・透水性機能の材料を詰め込んだ表示部が形成されている表示案内板で、この表示部をあらわす為に本体に立体空間を設けて、ここにはめ込む立体の材料の材質は１種類以上使用しており、表示案内本体と表示部の材料の材質には１箇所以上の立体又はセラミック粒子を主材料にした保水性・透水性機能の材料で蓄光セラミックスを含有した材料を使用して他の材料と組み合わせている、以上の構成からなる表示案内板。
【請求項４】
人が歩く歩道や地下道に敷設される歩道板において、セラミック材又はセラミック粒子を主材料にした保水性・透水性機能の材料を使用した表示案内本体には、立体空間に立体の材料をはめ込むかセラミック粒子を主材料にした保水性・透水性機能の材料を詰め込んだ表示部が形成されている表示案内板で、この表示部をあらわす為に本体に立体空間を設けて、ここにはめ込む立体の材料の材質は数種類以上使用しており、表示案内本体と表示部の材料の材質には１箇所以上の立体又はセラミック粒子を主材料にした保水性・透水性機能の材料で蓄光セラミックスを含有した材料を使用して他の材料と組み合わせている、以上の構成からなる表示案内板。
【請求項５】
人が歩く歩道や地下道に敷設される歩道板において、セラミック材又はセラミック粒子を主材料にした保水性・透水性機能の材料を使用した表示案内本体には、立体空間に立体の材料をはめ込むかセラミック粒子を主材料にした保水性・透水性機能の材料を詰め込んだ表示部が形成されている表示案内板で、この表示部をあらわす為に本体に立体空間を設けて、ここにはめ込む立体の材料の材質の厚みは２mm以上で１種類以上の材質を使用しており、表示案内本体と表示部の材料の材質には１箇所以上の立体又はセラミック粒子を主材料にした保水性・透水性機能の材料で蓄光を含有した材料を使用して他の材料と組み合わせている、以上の構成からなる表示案内板。
【請求項６】
人が歩く歩道や地下道に敷設される歩道板において、セラミック材又はセラミック粒子を主材料にした保水性・透水性機能の材料を使用した表示案内本体には、立体空間に立体の材料をはめ込むかセラミック粒子を主材料にした保水性・透水性機能の材料を詰め込んだ表示部が形成されている表示案内板で、この表示部をあらわす為に本体に立体空間を設けて、ここにはめ込む立体の材料の材質の厚みは２mm以上で数種類以上の材質を使用しており、表示案内本体と表示部の材料の材質には１箇所以上の立体又はセラミック粒子を主材料にした保水性・透水性機能の材料で蓄光を含有した材料を使用して他の材料と組み合わせている、以上の構成からなる表示案内板。
【請求項７】
人が歩く歩道や地下道に敷設される歩道板において、セラミック材又はセラミック粒子を主材料にした保水性・透水性機能の材料を使用した表示案内本体には、立体空間に立体の材料をはめ込むかセラミック粒子を主材料にした保水性・透水性機能の材料を詰め込んだ表示部が形成されている表示案内板で、この表示部をあらわす為に本体に立体空間を設けて、ここにはめ込む立体の材料の材質の厚みは２mm以上で１種類以上の材質を使用しており、表示案内本体と表示部の材料の材質には１箇所以上の立体又はセラミック粒子を主材料にした保水性・透水性機能の材料で蓄光セラミックスを含有した材料を使用して他の材料と組み合わせている、以上の構成からなる表示案内板。
【請求項８】
人が歩く歩道や地下道に敷設される歩道板において、セラミック材又はセラミック粒子を主材料にした保水性・透水性機能の材料を使用した表示案内本体には、立体空間に立体の材料をはめ込むかセラミック粒子を主材料にした保水性・透水性機能の材料を詰め込んだ表示部が形成されている表示案内板で、この表示部をあらわす為に本体に立体空間を設けて、ここにはめ込む立体の材料の材質の厚みは２mm以上で数種類以上の材質を使用しており、表示案内本体と表示部の材料の材質には１箇所以上の立体又はセラミック粒子を主材料にした保水性・透水性機能の材料で蓄光セラミックスを含有した材料を使用して他の材料と組み合わせている、以上の構成からなる表示案内板。